(57)【要約】【課題】従来、長傘では中棒が長く、身長の高くない人が手元を持つとひじの角度が９０度以上となり腕の疲労につながり易かった。また、それを避けるために、長傘をさす際に手元ではなく中棒を持つ人も少なくない。  本発明は、中棒の任意の位置に手元の一部を移動させる傘を提供する。【解決手段】手元を中棒に固定された先端部と中棒上を滑動する可動式グリップに分割することで、可動式グリップを中棒上の任意の場所に停止させることを特徴とした可動式グリップ付傘。【選択図】図１
2015100693.tif 000002
【特許請求の範囲】
【請求項１】
手元を、中棒に固定された先端部と中棒上を上下動する可動式グリップに分割し、ストッパーにより可動式グリップを中棒の任意の場所に停止させる、可動式グリップ付傘。
【請求項２】
下はじきを避けるスリットを可動式グリップに設けた請求項１の、可動式グリップ付傘。
【発明の詳細な説明】
【技術分野】
【０００１】  本発明は、可動式グリップ付傘に関するものである。
【背景技術】
【０００２】  従来、中棒を外管と滑動可能な中管とすることで柄の長さを伸縮させることは可能であった（特許文献１、特許文献２、特許文献３、特許文献４参照）。
【先行技術文献】
【特許文献】
【０００３】
【特許文献１】特許公開２００３−１５３７１４
【特許文献２】特許公開平１０−３３２２６
【特許文献３】登録実用新案第３１５６３９７号
【特許文献４】登録実用新案第３０６０８９５号
【発明の概要】
【発明が解決しようとする課題】
【０００４】  傘を使用するにあたっては、露先は目の高さよりやや上、手元は上腕を垂直に下げた状態でひじの角度を鋭角に保つのが理想である。そして、この理想に合った、中棒における手元の位置は本来個人ごとに異なるものである。ところが、従来、長傘ではこまのサイズを大きくすればするほど中棒も長くなるため、身長の高くない人が手元を持つとひじの角度が９０度以上となり腕の疲労につながり易かった。また、それを避けるために、長傘をさす際に手元ではなく中棒を持つ人も少なくない。
さらに、こまの面積が大きいほど雨にぬれにくくなるメリットがある一方で、それに連れて中棒も長くしなければならず手元の位置が下がるため、大きなサイズの傘は使用に堪えず一般に普及していない。
この他、強風時は手元を持つだけでなく、中棒の中央部辺りをもう一方の手で支えた方が傘の安定は高まるが、従来の長傘には中棒の中央部辺りにグリップは存在しない。
本発明は、以上の問題点を解決するためになされたものである。
【課題を解決するための手段】
【０００５】  手元は、中棒に固定された先端部と中棒上を上下動する可動式グリップから成る。可動式グリップに設けたストッパーにより、可動式グリップを中棒の任意の場所に停止させることができる。また、下はじきを有する傘の場合は、可動式グリップにそれを避けるスリットを設ける。なお、可動式グリップのスリットを一時的に広げることで、可動式グリップを他の傘にも装着することを可能とする。
以上の構成よりなる可動式グリップ付傘。
【発明の効果】
【０００６】  従来、長傘のサイズが体格に合わない場合、手元ではなく中棒を持つことが散見されたが、可動式グリップを中棒の個人の体格に適した位置に移動し停止させることでこれを解決することができる。
また、可動式グリップ付傘を採用することにより、従来よりもこまの面積が広い（＝中棒が長い）大きなサイズの傘を普及させることも可能となる。
さらに、強風時は、可動式グリップを中棒の中央部辺りに保ち、これと手元の先端部を両手で持つことで傘の安定度が高まるという利点も有する。
【図面の簡単な説明】
【０００７】
【図１】使用時の全体図
【図２】未使用時の全体図
【図３】可動式グリップ斜視図
【図４】ボタン部の斜視図
【図５】ボタン部付近の断面図
【図６】可動式グリップの突起部が下はじきを通過する時の断面図
【発明を実施するための形態】
【０００８】  以下、本発明の実施の形態を説明する。
まず、長傘の手元（１）は、中棒（１３）に固定された先端部（２）と、中棒（１３）上を滑動する可動式グリップ（３）から成る。先端部（２）と可動式グリップ（３）が接した状態における手元（１）は、従来の長傘の手元と類似した大きさや形状である。
【０００９】  次に、可動式グリップ（３）の外観は、平均的な大人または子供が片手で握るのに適した長さに加え、上方側面に押圧部（９）を配置するに足る長さを有した、円柱状あるいは正多角柱状の構造である。可動式グリップ（３）の表面に、握りやすくするための凹凸加工を施すこともある。
【００１０】  可動式グリップ（３）の中心部には、中棒（１３）を通すための円筒状の中空部（４）が縦に貫通している。なお、中棒（１３）の外周が多角形あるいは楕円等の場合は、中空部（４）も中棒（１３）の外周の形状と相似した形状とする。
【００１１】  可動式グリップ（３）の中空部（４）が円筒状の場合は、可動式グリップ（３）が中棒（１３）を中心に回転することを防止する目的で、可動式グリップ（３）の中空部（４）側の前方辺縁部に垂直に並ぶ上下２つの突起部（５）を設け、突起部（５）を中棒（１３）の溝部（１４）に相対させる。中棒（５）の溝部（１４）は、先端部（２）の上部から中棒（１３）の中央部付近、もしくは傘使用時の下ろくろの下部まで、縦に入れた連続した凹みである。この他、突起部（５）を可動式グリップ（３）の中空部（４）辺縁の上部から下部まで連続する形状にしたり、溝部（１４）を２つ以上設けそれに相対する突起部（５）を追加したりすることで、可動式グリップ（３）の横方向のブレを少なくする方法もある。
【００１２】  可動式グリップ（３）の上方側面に貫通させない程度に横穴（６）を穿ち、横穴（６）の奥部から順に、弾性材料（１２）、ストッパー（１１）、連結部（１０）、押圧部（９）から成るボタン部（８）を装着する。ばねに代表される弾性材料（１２）は、常に横穴（６）の奥部底面に接した状態、かつ、ストッパー（１１）を中棒（１３）に押しつけている状態でありながら、さらに収縮する余裕、すなわち、押圧部（９）を押下することにより、連結部（１０）で連結するストッパー（１１）を中棒（１３）から離す余地を残している。ストッパー（１１）は、中棒（１３）との密着面が広いほどグリップ力が強くなるため、中棒（１３）の曲面に合わせた形状とすることが望ましい。連結部（１０）は、中棒（１３）を避けるため、押圧部（９）とストッパー（１１）を側面で連結している。押圧部（９）は、押下していない時は可動式グリップ（３）の表面よりも出ているが、押下した時は同程度の高さになる。
【００１３】  下はじき（１５）のあるタイプの傘においては、可動式グリップ（３）にそれを避ける縦のスリット（７）を設ける。
【００１４】  なお、可動式グリップ（３）や連結部（１０）を復元性のある素材にすれば、スリット（７）を一時的に広げることで他の傘の中棒にも装着することが可能となる。その際は可動式グリップ（３）を溝部（１４）のない傘に装着させるため、可動式グリップ（３）と突起部（５）を一体とせず、突起部（５）の根元に極小のばねを組み合わせることにより、突起部（５）が可動式グリップ（３）の内部に埋没する仕組みにする。
本発明は以上のような構造である。
【００１５】  本発明を使用する時は、傘を開いた後、可動式グリップ（３）の上方側面に設けた押圧部（９）を押下することにより、連結部（１０）で連結されたストッパー（１１）が中棒（１３）から解除され、可動式グリップ（３）を中棒（１３）の任意の場所に移動させる。その後、押圧部（９）を解放することにより、弾性材料（１２）によって付勢されたストッパー（１１）が中棒（１３）に密着し、可動式グリップ（３）を中棒（１３）上に固定させる。
【００１６】  可動式グリップ（３）が中棒（１３）上を上下動する際は、突起部（５）が溝部（１４）に沿うため、可動式グリップ（３）が中棒（１３）の周囲を回転することはない。そのため、下はじき（１５）のあるタイプの傘においても、可動式グリップ（３）に下はじき（１５）を避ける縦のスリット（７）を設けることで、可動式グリップ（３）を自由に中棒（１３）上で上下動させることができる。
【００１７】  可動式グリップ（３）を取り外し、他の傘に装着することも可能である。
【符号の説明】
【０００９】  １  手元、２  先端部、３  可動式グリップ、４  中空部、５  突起部、
６  横穴、７  スリット、８  ボタン部、９  押圧部、１０  連結部、
１１  ストッパー、１２  弾性材料、１３  中棒、１４  溝部、
１５  下はじき
【図１】
2015100693.tif 000003
【図２】
2015100693.tif 000004
【図３】
2015100693.tif 000005
【図４】
2015100693.tif 000006
【図５】
2015100693.tif 000007
【図６】
2015100693.tif 000008